(57)【要約】      （修正有）【課題】宿泊施設（ホテル・旅館等）、介護施設、医療施設及び一般家庭の寝具上にて使用して好適なもので、ホテルや旅館等の施設において、洗面用具などのアメニティグッズと同様に施設側にしても血液や尿などにより寝具を汚さないように手軽に備えて置くことのできる寝具用ガードシートを提供する。【解決手段】寝具用ガードシート１は、透液性のトップシート２と不透液性のアンダーシート３との間に吸収体４を装入してなる扁平シートを設け、該扁平シートを小さく梱包する。施設側がアメニティグッズとして常備できる他、その梱包を解いてアンダーシート側を下にして寝具（シートを含む）上に拡げて使用出来る。【選択図】図１
0003154607.tif 000002
【実用新案登録請求の範囲】
【請求項１】
透液性のトップシートと不透液性のアンダーシートとの間に吸収体を装入してなる扁平シートを設け、該扁平シートを小さく梱包したことを特徴とする寝具用ガードシート。
【請求項２】
透液性のトップシートと不透液性のアンダーシートとの間に吸収体を装入し、該アンダーシートの外面適所に粘着手段を設けてなる扁平シートを設け、該扁平シートを小さく梱包したことを特徴とする寝具用ガードシート。
【請求項３】
透液性のトップシートと不透液性のアンダーシートとの間に吸収体を装入し、平面寸法を６０×４５ｍｍ程度の方形にしてなる扁平シートを設け、該扁平シートを小さく梱包したことを特徴とする寝具用ガードシート。
【請求項４】
透液性のトップシートと不透液性のアンダーシートとの間に吸収体を装入し、該アンダーシートに紐状シールを設けてなる扁平シートを設け、該扁平シートを小さく梱包したことを特徴とする寝具用ガードシート。
【考案の詳細な説明】
【技術分野】
【０００１】
本考案は、宿泊施設（ホテル・旅館等）、介護施設、医療施設及び一般家庭の寝具上にて使用して好適な寝具用ガードシートに関するものである。
【背景技術】
【０００２】
一般に、ホテルや旅館等において、突然の出血、オネショ（おもらし）、体液その他により寝具（布団やシーツを含む）を汚してしまった場合における一般的なマナーとして、退室時に枕の下に１千円程度を置くことで暗黙に許して貰えるとしても、心情的には気まずい思いをすることになる。したがって、出血やオネショ等が心配の場合には客室に備えるバスタオルなどを使って備えることもある。
【考案の開示】
【考案が解決しようとする課題】
【０００３】
しかしながら、血液や尿などはバスタオルをも浸透し、血液や尿などで汚れたシーツやバスタオルなどは洗濯機でも完璧に落とすことはできないから、少なくともシーツやバスタオルは廃棄せざるを得ぬため、ホテルや旅館等の施設側から見れば、枕の下に置いた１千円程度では到底済まない。当然、血液や尿などにより汚した方も気まずさが残るものである。
【０００４】
本考案は、上記の点に鑑み案出したもので、その目的とするところは、ホテルや旅館等の施設において、洗面用具などのアメニティグッズと同様に、施設側にしても血液や尿などにより寝具が汚さないように手軽に備えて置くことのできる寝具用ガードシートを提供することにある。
【課題を解決するための手段】
【０００５】
上記目的を達成するため、本考案に係る寝具用ガードシートは、透液性のトップシートと不透液性のアンダーシートとの間に吸収体を装入してなる扁平シートを設け、該扁平シートを小さく梱包したことを特徴とし、施設側がアメニティグッズとして常備できる他、その梱包を解いてアンダーシート側を下にして寝具（シートを含む）上に拡げて使用出来るように構成した。
【０００６】
また、請求項２に記載の寝具用ガードシートは、透液性のトップシートと不透液性のアンダーシートとの間に吸収体を装入し、該アンダーシートの外面適所に粘着手段を設けてなる扁平シートを設け、該扁平シートを小さく梱包したことを特徴とし、その梱包を解いてアンダーシート側を下にして寝具（シートを含む）上に拡げてシーツなどの上に粘着させて使用できるように構成した。
【０００７】
さらに、請求項３に記載の寝具用ガードシートは、透液性のトップシートと不透液性のアンダーシートとの間に吸収体を装入し、平面寸法を６０×４５ｍｍ程度の方形にしてなる扁平シートを設け、該扁平シートを小さく梱包したことを特徴とし、その梱包を解いてアンダーシート側を下にして寝具（シーツ）上に拡げれば、寸法的に下半身を充分にカバーできる上に、丸めればホテルや旅館等に備え付けられているゴミ箱にも容易に捨てられるように構成した。
【０００８】
さらにまた、請求項４に記載の寝具用ガードシートは、透液性のトップシートと不透液性のアンダーシートとの間に吸収体を装入し、該アンダーシートに紐状シールを設けてなる扁平シートを設け、該扁平シートを小さく梱包したことを特徴とし、その梱包を解いてアンダーシート側を下にして寝具（シートを含む）上に拡げて使用した後、丸めて紐状シールにてきつく縛ることができ、ホテルや旅館等に備え付けられているゴミ箱に捨て易くなるように構成した。
【考案の効果】
【０００９】
本考案によれば、施設側がアメニティグッズとして常備できる他、梱包を解いてアンダーシート側を下にして寝具（布団、シートを含む）上に拡げて使用出来るから、突然の出血や尿などでも透液性のトップシートを透して吸収体が良く吸収し、その血液や尿などは不透液性のアンダーシートにより確実にガードされ、寝具（シーツ）を汚してしまうことが一切なく、したがって、退室時に枕の下に金品を置く必要がないし、出血の経緯やオネショの癖などを恥じる必要もなく、ホテルや旅館等の施設に対する心情的な気まずさもない等各種の優れた効果を奏する。
【００１０】
また、請求項２の考案によれば、施設側がアメニティグッズとして常備できる他、梱包を解いてアンダーシート側を下にして寝具（シーツ）上に拡げてシーツに粘着手段を介して粘着させて使用できるため、身体が激しく動いてもシーツからズレ難く、しかも、出血や排尿などから確実に寝具（シーツ）をガードできるという優れた効果を奏する。
【００１１】
さらに、請求項３の考案によれば、施設側がアメニティグッズとして常備できる他、梱包を解いてアンダーシート側を下にして寝具（シーツ）上に拡げれば寸法的に下半身を充分にカバーでき、しかも、退出時に丸めると、ホテルや旅館等に備え付けられているゴミ箱にも簡単に捨てられ、後かたずが楽であるという優れた効果を奏する。
【００１２】
さらに、請求項４の考案によれば、施設側がアメニティグッズとして常備できる他、梱包を解いてアンダーシート側を下にして寝具（シーツ）上に拡げて使用した後、丸めて紐状シールにてきつく縛ることができ、退出時にホテルや旅館等の施設に備え付けられているゴミ箱に容易に捨てることができるという優れた効果を奏する。
【考案を実施するための最良の形態】
【００１３】
次に、本考案の実施の最良の態様を図面に基いて説明する。図１は本願シートを拡げた状態の一部切欠斜視図、図２は本願シートの断面図、図３は本願シートを小さくして梱包した場合の一部切欠斜視図、図４はアンダーシートの外面に設けた粘着手段を示す拡大断面図、図５はアンダーシートの外面に設けた紐状シールを示す拡大断面図、図６は紐状シールでゴミ箱に捨てるために丸めてきつく縛った状態を示す斜視図である。
【００１４】
本願シート１は、図１及び図２の如く、透液性のトップシート２と不透液性のアンダーシート３との間に吸収体４を装入してなる扁平なものである。該トップシート２として、例えば、ポリプロピレン（ＰＰ）繊維製の不織布（織布）により構成されている。ポリプロピレン繊維は、即乾性をも有している。勿論、ポリプロピレンにはレーヨン繊維のような吸水性の繊維を混入してもよい。前記不透液性のアンダーシート３としては、ポリエチレン（ＰＥ）フィルムやポリ塩化ビニルシートが有効に利用できる。
【００１５】
前記吸収体４としては、例えば、ティッシュペーパーなどの吸収シート、パルプや綿などの吸収性物質を用いて好適である。この吸収性物質には、高吸収性ポリマー（ＳＡＰ）を含ませてもよい。また、高吸収性ポリマー（ＳＡＰ）のみで構成してもよい。更に、吸収体４にはゼオライトやシリカゲルなどの消臭性能を有する物質やその他の機能性を発揮するの物質を混入してもよい。前記トップシート２を透過して吸収体４に吸収された血液や尿などの液状物は、前記アンダーシート３を透過しないため、吸収体４に吸収された状態でとどまるようになっている。
【００１６】
前記トップシート２とアンダーシート３は同大であり、その周囲は、互いに帯状に溶着又はホットメルト接着剤を用いて接着されている。この接着部位はトップシート２を透過して吸収体４に吸収された血液等の液状物が漏れ出ることがないようにしている。
【００１７】
前記本願シート１は、これを折畳んで小さくし、図３の如く、折返し蓋を有する平袋５に装入し、閉じた蓋をシール手段６によりシールすることにより小さく梱包されている。この平袋５の一面には、本願シート１の使用方法７ａ及び処理方法７ｂが印刷等により記載されている。使用方法７ａには、例えば、「シートのフワフワ面（トップシート２を表現した語）を上にして両手で拡げます。」とか、処理方法７ｂには、例えば、「汚れた部分を内側にして丸めて袋に入れて捨てます。」の如く印刷している。尤も、平袋５を透明素材にて形成し、上記使用方法７ａ及び処理方法７ｂを印刷した用紙（図示せず）を平袋５の一面の裏側に密着装入してもよい。
【００１８】
前記本願シート１の大きさは、特に問わないが、一辺（長辺）Ｂが６０ｍｍ、他辺（短辺）Ａが４５ｍｍ程度の方形にしたものが好ましい。６０×４５ｍｍ程度の方形の寸法のものであれば、人の下半身（尻部分）を充分にカバーできるサイズでありながら、丸めるとホテルや旅館等に備え付けのゴミ箱にも容易に捨てられる大きさになリ、好ましい。すなわち、梱包を解いて（平袋５から出して）、前記アンダーシート３側を下にして拡げれば、寝具（シーツ）上に充分に納まり、使い勝手がよい。
【００１９】
前記本願シート１は、前記アンダーシート３の外面の適所、例えば、図４の如く、隅角部（他の部位でもよい）に粘着手段８を設けている。この粘着手段８は粘着剤を塗布して剥離紙８′を貼って使用時までに粘着性を規制しておくか、両面粘着剤の一方の剥離紙を剥がして貼り付けておき、使用時に他方の剥離紙８′を剥がすように構成している。両面粘着剤を設けた場合において、アンダーシート３側を下にして拡げ、剥離紙８′を剥がしてシーツ上に貼れば、本願シート１をシーツに仮固定できることとなり、身体が激しく動いても本願シート１がシーツからズレ動いたりせず、したがって、たとえ出血などがあったとしても、確実にシーツをガードできることとなる。また、粘着手段８には、図示していないが、ベルベット式ファスナーの雄側（布面に係止できる鉤側）を取付けておいてもよい。
【００２０】
前記本願シート１は、前記アンダーシート３に、図５の如く、紐状シール９の基端９′を固定（縫着あるいは接着）しておくとよい。この紐状シール９は、一面に粘着剤が塗布され、その塗布面に貼った剥離紙を剥がして使用できるようになっている。アンダーシート３を下にして寝具（シーツ）上に拡げて使用するときには邪魔にならず、使用後、汚れた面を内側にして丸めて剥離紙を剥がせば結ばなくてもきつく縛ることができるものである。これにより本願シート１を、ホテルや旅館等に備え付けられているゴミ箱により捨て易くなる。
【００２１】
次に、ホテルや旅館等の施設内に、洗面用具などと共にアメニティグッズとして常備されている本願シート１の使用法について説明する。まず、宿泊者は就寝（横になる）に際し、常備されているアメニティグッズの中から平袋５に梱包されている本願シート１を取出し、その梱包を解いて本願シートを摘出し、アンダーシート３側を下にして拡げて寝具（シーツ）上に置いて使用する。本願シートの大きさは人の下半身（尻部分）を充分にカバーできる。この場合に、アンダーシート３の外面の適所に粘着手段８が設けられていれば、これを利用してシーツ上に仮固定する。これにより、身体が激しく動いても本願シート１がシーツからズレ動いたりせず、出血や排尿などから確実にシーツをガードできることとなる。
【００２２】
翌朝（翌朝には限らない）、本願シート１のトップシート２が出血や尿などのため汚れていることを知ったときも、トップシート２と不透液性のアンダーシート３との間に吸収体４が装入されているからシーツを血液や尿などによる汚れから確実にガードできているため、ホテルや旅館等の施設の利用者をして高い安心感が得られる。
【００２３】
次いで、本願シート１の汚れた面（トップシート２側）を内側にして丸めれば、ホテルや旅館等に備え付けられているゴミ箱に捨てることが可能となる。この場合、前記アンダーシート３に紐状シール９が固定されていると該紐状シール９を用いてより小さくきつく縛れるから、ゴミ箱により捨て易くなり便利である。
【産業上の利用可能性】
【００２４】
本願シートは、宿泊施設（ホテル・旅館等）、介護施設、医療施設及び一般家庭の寝具上にて使用できるもので、多くの施設において広く利用できるため、産業上の利用性が高いものである。
【図面の簡単な説明】
【００２５】
【図１】本願シートを拡げた状態の一部切欠斜視図である。
【図２】本願シートの断面図である。
【図３】本願シートを小さくして梱包した場合の一部切欠斜視図である。
【図４】アンダーシートの外面に設けた粘着手段を示す拡大断面図である。
【図５】アンダーシートの外面に設けた紐状シールを示す拡大断面図である。
【図６】紐状シールでゴミ箱に捨てるために丸めてきつく縛った状態を示す斜視図である。
【符号の説明】
【００２６】
１  本願シート
２  透液性のトップシート
３  不透液性のアンダーシート
４  吸収体
５  平袋
６  シール手段
７ａ  使用方法
７ｂ  処理方法
８  粘着手段
８′  剥離紙
９  紐状シール
９′  基端
Ａ  短辺の寸法
Ｂ  長辺の寸法
【図１】
0003154607.tif 000003
【図２】
0003154607.tif 000004
【図３】
0003154607.tif 000005
【図４】
0003154607.tif 000006
【図５】
0003154607.tif 000007
【図６】
0003154607.tif 000008